(57)【要約】【課題】精算内容が記録された電子データを複写や転送でき、顧客が電子データからレシートを印刷可能とする。【解決手段】本発明に係るレシート印刷装置は、第１通信部と第２通信部と印刷部と記憶部と制御部とを備え、制御部は、第１通信部を介してＰＯＳデータを含むレシート印刷情報を受信し、レシート印刷情報に基づき生成する生成データと処理履歴情報とを含むレシート情報を生成し、レシート印刷情報に基づいて印刷部にレシートを印刷させる処理、および第２通信部を介してレシート情報を外部機器へ送信する処理、の少なくともいずれか一方を実行し、処理履歴情報に、レシート情報が処理された経緯を示す情報を含ませる。【選択図】図２
2019035999.tif 000002
【特許請求の範囲】
【請求項１】
顧客の購買に関する会計処理を行うＰＯＳ会計装置と通信を行う第１通信部と、
前記ＰＯＳ会計装置とは異なる外部機器と通信を行う第２通信部と、
領収書としてのレシートを印刷する印刷部と、
制御プログラムを記憶する記憶部と、
前記記憶部から前記制御プログラムを読み出して実行する制御部と、を備え、
前記制御部は、
前記第１通信部を介して、前記ＰＯＳ会計装置から前記購買に関するＰＯＳデータを含むレシート印刷情報を受信し、
前記レシート印刷情報に基づく生成データと処理履歴情報とを含むレシート情報を生成し、
前記レシート印刷情報に基づいて前記印刷部に前記レシートを印刷させる処理、および前記第２通信部を介して前記レシート情報を前記外部機器へ送信する処理、の少なくともいずれか一方を実行し、
前記処理履歴情報に、前記レシート情報が処理された経緯を示す情報を含ませることを特徴とするレシート印刷装置。
【請求項２】
請求項１において、
前記制御部は、前記生成データとして、前記ＰＯＳデータに基づくテキストデータおよび電子レシートとしての前記レシートのイメージデータの少なくともいずれか一方を生成することを特徴とするレシート印刷装置。
【請求項３】
請求項１または２において、
前記制御部は、
前記レシートを印刷させた場合、前記レシートが印刷されたことを示す印刷済み情報を前記処理履歴情報に含ませ、
前記レシート情報を前記外部機器へ送信する場合、少なくとも、送信元の前記レシート印刷装置を特定する情報、送信先の前記外部機器を特定する情報、および前記外部機器に送信した日時情報のいずれか１の情報を前記処理履歴情報に含ませることを特徴とするレシート印刷装置。
【請求項４】
請求項３において、
前記処理履歴情報は、前記レシートが印刷されたか否かを示す印刷フラグを備え、
前記制御部は、前記レシートが印刷されたことを示す印刷済み情報を前記処理履歴情報に含ませる場合、前記印刷フラグを印刷済みであることを示す状態に設定することを特徴とするレシート印刷装置。
【請求項５】
請求項２において、
前記制御部は、前記レシートを印刷させた場合、前記生成データから前記電子レシートの少なくとも一部のデータを削除することを特徴とするレシート印刷装置。
【請求項６】
請求項２において、
前記制御部は、前記レシートを印刷させた場合、前記レシートが印刷されたことを示すデータを前記電子レシートに付加することを特徴とするレシート印刷装置。
【請求項７】
顧客の購買に関する会計処理を行うＰＯＳ会計装置と通信を行う第１通信部と、
前記ＰＯＳ会計装置とは異なる外部機器と通信を行う第２通信部と、
領収書としてのレシートを印刷する印刷部と、
制御プログラムを記憶する記憶部と、
前記記憶部から前記制御プログラムを読み出して実行する制御部と、を備えるレシート印刷装置の制御方法であって、
前記第１通信部を介して、前記ＰＯＳ会計装置から前記購買に関するＰＯＳデータを含むレシート印刷情報を受信し、
前記レシート印刷情報に基づく生成データと処理履歴情報とを含むレシート情報を生成し、
前記レシート印刷情報に基づいて前記印刷部に前記レシートを印刷させること、および前記第２通信部を介して前記レシート情報を前記外部機器へ送信すること、の少なくともいずれか一方を実行し、
前記処理履歴情報に、前記レシート情報が処理された経緯を示す情報を含ませることを特徴とするレシート印刷装置の制御方法。
【発明の詳細な説明】
【技術分野】
【０００１】
本発明は、レシート印刷装置およびレシート印刷装置の制御方法に関する。
【背景技術】
【０００２】
例えば店舗において顧客が買い物をして代金の精算をすると、その証憑として領収書が顧客に渡される。当該領収書は、媒体に印刷されたレシート（以下、単にレシートという）であったり、精算内容が電子的に記録された電子データであったりする。
この種の技術として、例えば特許文献１には、決済処理装置が、精算内容が電子化された電子データを作成するとともに、あらかじめ設定されたレシートの受取り可否の情報に基づいてレシートの発行の有無を決定するシステムが開示されている。このシステムでは、決済処理装置は、作成した電子データをデータベースに記録させて保存する。そして、レシートの受取り可否の情報に基づいてレシートを受取らなかった顧客は、後々、店舗に出向き決済処理装置を介してデータベースに記録された電子データを読み出して印刷することで、レシートを取得できる。
【先行技術文献】
【特許文献】
【０００３】
【特許文献１】特開２００９−４２９３１号公報
【発明の概要】
【発明が解決しようとする課題】
【０００４】
ところで、近年は、家庭のパーソナルコンピューター（ＰＣ）などにインストールされた家計簿ソフトウェアを利用して家計簿を作成するといった統計処理を行う顧客もいる。そのような場合、印刷物としてのレシートでは、印刷された内容を都度顧客が読み取ってＰＣに入力せねばならず、煩わしい。したがって、精算内容が電子的に記録された電子データから直接レシートの情報（精算内容）をＰＣに取り込めることが好ましい。また、精算内容の電子データを上述のＰＣのみならず様々な電子機器において利用するために、複写や転送ができることが好ましい。さらには、顧客が、証憑としてのレシートを必要とする時はいつでも電子データからレシートを印刷できることが好ましい。
しかしながら、レシートは、納税処理などに際して支出の証憑となるため、重複発行などを防ぐ必要がある。したがって、顧客が、電子データを自由に複写や転送することはできなかった。例えば、特許文献１のシステムでは、顧客がレシートを必要とする場合は、証憑となるレシートの重複発行などの不正を防ぐために、決済処理装置が設置された店舗に出向いて、決済処理装置を介してレシートを印刷して取得しなければならなかった。
【課題を解決するための手段】
【０００５】
本発明は、上述の課題の少なくとも一部を解決するためになされたものであり、以下の形態または適用例として実現することが可能である。
【０００６】
（適用例）
本適用例に係るレシート印刷装置は、顧客の購買に関する会計処理を行うＰＯＳ会計装置と通信を行う第１通信部と、前記ＰＯＳ会計装置とは異なる外部機器と通信を行う第２通信部と、領収書としてのレシートを印刷する印刷部と、制御プログラムを記憶する記憶部と、前記記憶部から前記制御プログラムを読み出して実行する制御部と、を備え、前記制御部は、前記第１通信部を介して、前記ＰＯＳ会計装置から前記購買に関するＰＯＳデータを含むレシート印刷情報を受信し、前記レシート印刷情報に基づく生成データと処理履歴情報とを含むレシート情報を生成し、前記レシート印刷情報に基づいて前記印刷部に前記レシートを印刷させる処理、および前記第２通信部を介して前記レシート情報を前記外部機器へ送信する処理、の少なくともいずれか一方を実行し、前記処理履歴情報に、前記レシート情報が処理された経緯を示す情報を含ませることを特徴とする。
【０００７】
この構成によれば、レシート印刷装置は、ＰＯＳ会計装置から購買に関するＰＯＳデータを含むレシート印刷情報を受信し、レシート印刷情報に基づく生成データと処理履歴情報とを含むレシート情報を生成する。さらに、レシート印刷情報に基づいて印刷部にレシートを印刷させる処理、および第２通信部を介してレシート情報を外部機器へ送信する処理、の少なくともいずれか一方を実行し、処理履歴情報に、レシート情報が処理された経緯を示す情報を含ませる。そのため、レシート印刷装置は、印刷物としてのレシートを印刷したり、レシート印刷情報に基づいて生成される生成データと処理履歴情報とを含むレシート情報を外部機器へ送信したりできる。さらに、処理履歴情報にはレシート情報が処理された経緯を示す情報が含まれるため、レシート情報を受信した外部機器は、処理履歴情報に基づいて、レシートの重複発行を避ける処理を行うことができる。
【０００８】
（適用例）
上記適用例において、前記制御部は、前記生成データとして、前記ＰＯＳデータに基づくテキストデータおよび電子レシートとしての前記レシートのイメージデータの少なくともいずれか一方を生成することが好ましい。
【０００９】
この構成によれば、レシート印刷情報に基づき生成される生成データは、ＰＯＳデータに基づくテキストデータおよびレシートのイメージデータの少なくともいずれか一方を含む。そのため、生成データがテキストデータを含む場合、顧客は、外部機器に送信されたレシート情報内のテキストデータから、直接レシートの情報（精算内容）をＰＣなどに取り込むことができる。また、生成データがレシートのイメージデータを含む場合、顧客は、当該イメージデータからレシートの画像を外部機器が備えるディスプレイなどに表示させて確認することができる。
【００１０】
（適用例）
上記適用例において、前記制御部は、前記レシートを印刷させた場合、前記レシートが印刷されたことを示す印刷済み情報を前記処理履歴情報に含ませ、前記レシート情報を前記外部機器へ送信する場合、少なくとも、送信元の前記レシート印刷装置を特定する情報、送信先の前記外部機器を特定する情報、および前記外部機器に送信した日時情報のいずれか１の情報を前記処理履歴情報に含ませることが好ましい。
【００１１】
この構成によれば、制御部は、レシートを印刷させた場合は、印刷済み情報を処理履歴情報に含ませ、レシート情報を外部機器へ送信する場合は、少なくとも、レシート印刷装置を特定する情報、外部機器を特定する情報、および送信した日時情報のいずれか１の情報を処理履歴情報に含ませる。そのため、処理履歴情報により、レシートが印刷されたこと、あるいはレシート情報が送信された時点の詳細情報が明確になる。
【００１２】
（適用例）
上記適用例において、前記処理履歴情報は、前記レシートが印刷されたか否かを示す印刷フラグを備え、前記制御部は、前記レシートが印刷されたことを示す印刷済み情報を前記処理履歴情報に含ませる場合、前記印刷フラグを印刷済みであることを示す状態に設定することが好ましい。
【００１３】
この構成によれば、処理履歴情報は印刷フラグを備え、制御部は、印刷済み情報を処理履歴情報に含ませる場合、印刷フラグを印刷済みであることを示す状態に設定する。そのため、印刷フラグの状態により、レシートが印刷されたか否かが明確になる。
【００１４】
（適用例）
上記適用例において、前記制御部は、前記レシートを印刷させた場合、前記生成データから前記電子レシートの少なくとも一部のデータを削除することが好ましい。
【００１５】
この構成によれば、制御部は、レシートを印刷させた場合、生成データから電子レシートの少なくとも一部のデータを削除する。そのため、一部のデータが削除された電子レシートからは本来の（正式な）レシートは印刷され得ず、レシートの重複発行を防ぐことができる。
【００１６】
（適用例）
上記適用例において、前記制御部は、前記レシートを印刷させた場合、前記レシートが印刷されたことを示すデータを前記電子レシートに付加することが好ましい。
【００１７】
この構成によれば、レシートが印刷されたことを示すデータが電子レシートに付加される。そのため、別のデータが付加された電子レシートからは本来の（正式な）レシートは印刷され得ず、レシートの重複発行を防ぐことができる。
【００１８】
（適用例）
本適用例に係るレシート印刷装置の制御方法は、顧客の購買に関する会計処理を行うＰＯＳ会計装置と通信を行う第１通信部と、前記ＰＯＳ会計装置とは異なる外部機器と通信を行う第２通信部と、領収書としてのレシートを印刷する印刷部と、制御プログラムを記憶する記憶部と、前記記憶部から前記制御プログラムを読み出して実行する制御部と、を備えるレシート印刷装置の制御方法であって、前記第１通信部を介して、前記ＰＯＳ会計装置から前記購買に関するＰＯＳデータを含むレシート印刷情報を受信し、前記レシート印刷情報に基づく生成データと処理履歴情報とを含むレシート情報を生成し、前記レシート印刷情報に基づいて前記印刷部に前記レシートを印刷させること、および前記第２通信部を介して前記レシート情報を前記外部機器へ送信すること、の少なくともいずれか一方を実行し、前記処理履歴情報に、前記レシート情報が処理された経緯を示す情報を含ませることを特徴とする。
【００１９】
この方法によれば、ＰＯＳ会計装置からＰＯＳデータを含むレシート印刷情報を受信し、生成データと処理履歴情報とを含むレシート情報を生成し、印刷部にレシートを印刷させる処理およびレシート情報を外部機器へ送信する処理の少なくともいずれか一方を実行し、処理履歴情報に、レシート情報が処理された経緯を示す処理履歴情報を含ませる。そのため、レシート印刷装置は、印刷物としてのレシートを印刷したり、レシート印刷情報に基づいて生成される生成データと処理履歴情報とを含むレシート情報を外部機器へ送信したりできる。さらに、処理履歴情報にはレシート情報が処理された経緯を示す情報が含まれるため、レシート情報を受信した外部機器は、処理履歴情報に基づいて、レシートの重複発行を避ける処理を行うことができる。
【図面の簡単な説明】
【００２０】
【図１】レシート情報処理システムの構成の一例を示す図。
【図２】レシート情報処理システムの機能構成図。
【図３】レシート情報処理システムの動作を示すフローチャート。
【図４】レシート情報処理システムの動作を示すフローチャート。
【図５】レシート情報の構成を示す図。
【図６Ａ】レシート情報の具体例を示す図。
【図６Ｂ】レシート情報の具体例を示す図。
【図７Ａ】レシート情報の具体例を示す図。
【図７Ｂ】レシート情報の具体例を示す図。
【図８】レシート情報の具体例を示す図。
【図９Ａ】レシート情報の具体例を示す図。
【図９Ｂ】レシート情報の具体例を示す図。
【図１０】レシート情報の構成を示す図。
【図１１】レシート情報の構成を示す図。
【発明を実施するための形態】
【００２１】
（実施形態）
以下、本発明の実施形態について図面を参照して説明する。本実施形態では、本発明を適用したレシート印刷装置２を含むレシート情報処理システム１００として、ＰＯＳ会計装置１（ＰＯＳ：Point Of Sale）、スマートフォン３、スマートウォッチ（登録商標）５、ホームプリンター４（第２の印刷装置）、パーソナルコンピューター６（ＰＣ６）、およびデータサーバー７を備えたシステムを例に挙げて説明する。なお、スマートフォン３およびスマートウォッチ５は、ユーザー端末（外部機器の一例）であり、ホームプリンター４、ＰＣ６、およびデータサーバー７は周辺装置である。
また、以下の説明で参照する図面では、説明および図示の便宜上、部材ないし部分の縦横の縮尺を実際のものとは異なるように表す場合がある。また、説明に必要な構成要素以外は、図示を省略する場合がある。
【００２２】
（レシート情報処理システムの全体構成）
まず、レシート情報処理システム１００の全体構成について、図１を参照して説明する。図１は、レシート情報処理システム１００の構成の一例を示す図である。
図１に示すように、本実施形態におけるレシート情報処理システム１００においては、顧客（以下、単に客という）の購買に関する会計処理を行うＰＯＳ会計装置１と客に渡す領収書（印刷されたレシート２５や電子レシート）を発行するレシート印刷装置２とがＬＡＮ（Local Area Network）で接続される。そして、レシート印刷装置２が、ネットワークＮＷ（例えば、インターネット）を介して、スマートフォン３、ホームプリンター４、スマートウォッチ５、ＰＣ６、およびデータサーバー７と通信可能に接続される。
【００２３】
ＰＯＳ会計装置１は、例えば、客が買い物をする店舗に設置されて、客が購入した品物の売上額を計算して記録するＰＯＳキャッシュレジスターである。ＰＯＳ会計装置１は、品物の情報（品名、品番、数量など）がキーボード１１やバーコードリーダー１２から入力されると、記憶する単価などに基づいて合計額を計算して店員および客が内容を確認できるように品物の情報や合計額を表示パネル１３およびカスタマーディスプレイ１４に表示する。その後、客の支払いが済むと、領収書としてのレシート２５を発行するためにレシート印刷情報をレシート印刷装置２に送信する。レシート印刷情報は、どの店で、いつ、どの商品が、いくらで、いくつ売れたか等のＰＯＳデータを含む。レシート印刷情報は、レシート印刷装置２におけるレシート２５の印刷レイアウトを決定する印刷レイアウトコマンドあるいはレシート２５のイメージデータを含んでもよい。レシート２５のイメージデータとは、電子レシートであり、印刷されたレシート２５の画像がデータ化されたものである。
【００２４】
レシート印刷装置２は、例えばサーマルプリンターやドットインパクトプリンターであり、ＰＯＳ会計装置１と同じ店舗に設置されて、ＰＯＳ会計装置１から送信されるレシート印刷情報に基づいて、領収書として客に渡すレシート２５の印刷やレシート情報（図５参照。詳細は後述。）の生成を行う。
【００２５】
ホームプリンター４は、例えばインクジェットプリンターやレーザープリンターであり、ホスト装置から送信される印刷データを印刷媒体４０に印刷する。本実施形態では、ホームプリンター４は、客が適宜容易に使用できる環境下に置かれた印刷装置である。レシート情報処理システム１００において、ホームプリンター４はネットワークＮＷに接続されるため、スマートフォン３、スマートウォッチ５、およびＰＣ６などがホームプリンター４のホスト装置として機能可能である。
【００２６】
スマートフォン３は、携帯機器用ＯＳ（Operating System）を備えた携帯型情報端末であり、音声通話やネットワークＮＷに接続しての情報通信などが可能である。また、スマートフォン３は、Ｂｌｕｅｔｏｏｔｈ（登録商標）、Ｗｉ−Ｆｉ（登録商標：Wireless Fidelity）、ＺｉｇＢｅｅ（登録商標）、ＮＦＣ（Near field communication）などの近距離無線通信ＷＬＣによって、ネットワークＮＷを介さずに、ホームプリンター４に印刷データを送信すること、およびスマートウォッチ５と通信することができる。スマートフォン３は、入力部３１とタッチパネル３２を備え、タッチパネル３２に情報を表示するとともに、入力部３１およびタッチパネル３２が操作されて動作する。
スマートウォッチ５は、客が腕に装着して携帯するリストタイプの携帯型情報端末であり、タッチパネル５２と入力部（非表示）とを備え、その機能はスマートフォン３に準ずる。スマートウォッチ５は、近距離無線通信ＷＬＣによって、ネットワークＮＷを介さずに、スマートフォン３と通信することができる。
なお、レシート情報処理システム１００には、スマートフォン３、スマートウォッチ５、およびタブレット端末などが、ユーザー端末として複数台含まれてもよい。
【００２７】
データサーバー７は、データを蓄積（記憶）して共有する記憶装置であり、データベースとして機能可能なメモリーサイズを備えたコンピューター、ＨＤＤ（Hard Disk Drive）、ＲＡＩＤ（Redundant Arrays of Independent Disks）などで構成される。
【００２８】
なお、ＰＯＳ会計装置１とレシート印刷装置２とは、例えばＵＳＢ（Universal Serial Bus）接続された形態であってもよい。また、レシート印刷装置２が、ネットワークＮＷを介さず前述の近距離無線通信ＷＬＣにより直接スマートフォン３と通信を行って、スマートフォン３が、ネットワークＮＷを介して、ホームプリンター４、スマートウォッチ５、ＰＣ６、データサーバー７などと通信を行う形態であってもよい。
【００２９】
（レシート情報処理システムの動作）
次に、図２から図４に基づいて、図５から図１０を参照しつつ、レシート情報処理方法（つまり、レシート情報処理システム１００の動作および各構成要素間における情報の流れ）について説明する。
図２は、レシート情報処理システム１００の各構成要件の機能と情報の流れとに基づいて、レシート情報処理システム１００を説明する機能構成図である。
図３は、レシート情報処理システム１００の動作を示すフローチャートであり、主にＰＯＳ会計装置１およびレシート印刷装置２の動作を説明する図である。
図４は、レシート情報処理システム１００の動作を示すフローチャートであり、スマートフォン３の動作を中心にして、ホームプリンター４、スマートウォッチ５、ＰＣ６、およびデータサーバー７との連携動作を説明する図である。
図５は、レシート情報の構成を示す図であり、図６Ａから図１０は、レシート情報の具体例を示す図である。
【００３０】
ＰＯＳ会計装置１とレシート印刷装置２とは店舗内ＬＡＮで接続されて（図２参照）、ＰＯＳ会計装置１が会計処理を行い（図３のステップＳ１１）、生成された上述のレシート印刷情報がレシート印刷装置２に送信される（図３のステップＳ１２）。
【００３１】
以下、レシート印刷情報を受信するレシート印刷装置２の構成および動作（制御方法）を説明する。
【００３２】
（レシート印刷装置の構成）
図２に示すように、レシート印刷装置２は、制御部２０、第１通信部２１、第２通信部２２、記憶部２３、および印刷部２４を備える。制御部２０、第１通信部２１、第２通信部２２、記憶部２３、および印刷部２４は、データバスなどで接続され、制御部２０を中心にしてデータの交換が可能である。
【００３３】
第１通信部２１は、制御部２０に制御されて、ＰＯＳ会計装置１と通信をするためのインターフェイス（Ｉ／Ｆ）であり、通信回路や通信ＩＣ（Integrated Circuit）などを含み、ＬＡＮの通信プロトコルに従って情報を通信する。
第２通信部２２は、制御部２０に制御されて、スマートフォン３と通信をするためのインターフェイス（Ｉ／Ｆ）であり、通信回路や通信ＩＣ（Integrated Circuit）などを含み、ネットワークＮＷの通信プロトコルに従って情報を通信する。
【００３４】
記憶部２３は、レシート印刷装置２の動作を制御する制御プログラムを格納したり、制御部２０の作業領域を確保するためのメモリーであり、ＲＯＭ（Read Only Memory）、ＥＥＰＲＯＭ（Electrically Erasable Programmable Read Only Memory）、ＲＡＭ（Random Access Memory）などの記憶素子やＨＤＤなどの記憶装置である。
印刷部２４は、印刷機構および印刷機構の駆動回路などを備え、制御部２０に制御されてレシート２５を印刷する。印刷機構は、ＰＯＳデータが印刷される媒体（例えば、ロール状の連続紙）を搬送する搬送機構、媒体に印刷を行う印刷ヘッド、印刷された媒体を切り離してレシート２５の形態に整えるカッター機構などを備える。
【００３５】
制御部２０は、ＣＰＵ（Central Processing Unit）を含み、記憶部２３に書込まれた制御プログラムに基づいてＣＰＵが動作して、第１通信部２１、第２通信部２２、および印刷部２４を制御する。また、制御部２０は、レシート印刷情報に基づいてレシート情報（図５参照。詳細は後述。）を生成する。制御部２０は、必要に応じてＲＡＭ、ＲＯＭ、ＡＳＩＣ（Application Specific Integrated Circuit）などを備えてもよい。
【００３６】
ここで、制御部２０（ひいては、レシート印刷装置２）が生成するレシート情報について説明する。図５に示すように、レシート情報は、レシート印刷情報に基づいて生成される生成データとレシート情報が処理された履歴（経緯）を示す処理履歴情報とを含む。より具体的には、生成データは、テキストデータと電子レシート（イメージデータ）を含み、テキストデータは、レシート印刷情報のＰＯＳデータから生成され、電子レシートは、ＰＯＳデータおよび印刷レイアウトコマンドから生成されるレシート２５の印刷画像がデータ化されたイメージデータである。
本実施形態においては、電子レシートは、レシート印刷装置２においてＰＯＳデータおよび印刷レイアウトコマンドから生成されるものとして説明する。なお、電子レシートがＰＯＳ会計装置１によって生成されてレシート印刷情報に含まれレシート印刷装置２に送信される形態でも構わない。処理履歴情報には、生成されたレシート情報がどのように処理されてきたかという経緯を示す情報が記録される。
【００３７】
（レシート印刷装置の動作）
図３に示すように、レシート印刷装置２は、制御部２０が第１通信部２１を制御してＰＯＳ会計装置１からレシート印刷情報を受信する（ステップＳ２１）。
レシート印刷情報を受信した制御部２０は、ＰＯＳ会計装置１からの指示に従って、客に渡すレシート２５を印刷するか否かを判断する（ステップＳ２２）。その結果、レシート印刷装置２がレシート２５を印刷する場合（ステップＳ２２のＹ）はステップＳ２３へ進み、レシート印刷装置２がレシート２５を印刷しない場合（ステップＳ２２のＮ）は、ステップＳ２５へ進む。
【００３８】
レシート印刷装置２がレシート２５を印刷する場合（ステップＳ２２のＹ）は、制御部２０は、レシート印刷情報に含まれるＰＯＳデータおよび印刷レイアウトコマンドに基づいて、印刷部２４を制御してレシート２５を印刷する（ステップＳ２３）。続いて、レシート２５が印刷されたことを示す印刷済み情報を処理履歴情報に記録（付加）してステップＳ２６に進む（ステップＳ２４）。
【００３９】
図６Ａは、レシート印刷装置２がレシート２５を印刷した場合に、レシート印刷装置２が生成するレシート情報の具体例を示す図である。図６Ａのレシート情報は、ステップＳ２４以降ステップＳ２８までの処理が行われて生成されるが、処理履歴情報について説明するために先行してここで開示する。図６Ａに示すように、処理履歴情報には、ステップＳ２４において、通し番号「１」に印刷済み情報としての「20XXYYZZ1530 TM12345"PRINT"」が記録される。印刷済み情報は、冒頭の日時情報「20XXYYZZ1530」によって「20XX年YY月ZZ日  15時30分」に処理が実行されたことを示し、続く「TM12345"PRINT"」によって、その処理が、レシート印刷装置２を特定する情報である固有番号「TM12345」のレシート印刷装置２による印刷「"PRINT"」であることを示す。
【００４０】
一方、レシート２５を印刷しない場合（ステップＳ２２のＮ）は、制御部２０は、ＰＯＳデータおよび印刷レイアウトコマンドから電子レシートを生成してステップＳ２６に進む（ステップＳ２５）。
【００４１】
図６Ｂは、レシート印刷装置２がレシート２５を印刷しない場合に、レシート印刷装置２が生成するレシート情報の具体例を示す図である。図６Ｂのレシート情報は、ステップＳ２５以降ステップＳ２８までの処理が行われて生成されるが、電子レシートについて説明するために先行してここで開示する。図６Ｂに示すように、生成データには、ステップＳ２５において生成された電子レシート（イメージデータ）が記録される。
【００４２】
ステップＳ２４あるいはステップＳ２５に続き、制御部２０は、ＰＯＳデータからテキストデータを生成する（ステップＳ２６）。テキストデータは、レシート２５に記載される情報（精算内容）が文字列で表されたデータであり、これにより、統計処理を行うＰＣ６などが、精算内容を直接取り込むことができる。
【００４３】
具体的には、図６Ａおよび図６Ｂに示すように、生成データにテキストデータが記録される。図６Ｂから分かるように、テキストデータの内容と電子レシートの内容とは整合する。つまり、テキストデータの「20XXYYZZ1530」は、電子レシートの「20XX年YY月ZZ日  15:30」に対応する。テキストデータの「5010-1-100」は、電子レシートの「歯ブラシ  １  \100」に対応し、冒頭の「5010」は歯ブラシの商品番号を示し、次の「1」は販売数量を示し、最後の「100」は歯ブラシの単価を示す。同様に、リンゴ、コーヒー豆、チーズについても、テキストデータには、商品番号、販売数量、単価が整列されて記録される。さらに、テキストデータの「TTL-1628」、「DPO-2000」、および「CNG-372」は、それぞれ電子レシートの「合計  \1,628」、「お預り  \2,000」、および「おつり  \372」を示す。
【００４４】
次に、制御部２０は、生成するレシート情報をスマートフォン３に向けて送信するのに備えて、レシート情報がスマートフォン３に送信されたことを示す情報を処理履歴情報に記録（付加）する（ステップＳ２７）。
【００４５】
具体的には、図６Ａの処理履歴情報の通し番号「２」および図６Ｂの処理履歴情報の通し番号「１」に示すように、レシート情報がスマートフォン３に送信されたことを示す情報として「20XXYYZZ1535 TM12345⇒TAB2468"TRANS"」が処理履歴情報に記録される。「20XXYYZZ1535 TM12345⇒TAB2468"TRANS"」は、レシート情報が、「20XX年YY月ZZ日  15時35分」に、固有番号「TM12345」のレシート印刷装置２から外部機器を特定する情報である固有番号「TAB2468」のスマートフォン３に送信された（"TRANS"）ことを示す。
【００４６】
続いて、制御部２０は、ステップＳ２６で生成されたテキストデータとステップＳ２７で生成された処理履歴情報とを含めてレシート情報（図６Ａ参照）を生成する。また、レシート２５を印刷しなかった場合は、テキストデータと処理履歴情報とに加えてステップＳ２５で生成された電子レシートを含めてレシート情報（図６Ｂ参照）を生成する。そして、制御部２０は、生成したレシート情報をスマートフォン３に送信する（ステップＳ２８）。
【００４７】
なお、ここでは、レシート印刷装置２によりレシート２５が印刷された場合、レシート情報は電子レシートを含まず生成される例を示したが、一部のデータが削除された電子レシートを含んでレシート情報が生成されるようにしてもよい。一部のデータが削除された電子レシートは、その詳細については後述するが（図７Ａ参照）、電子レシートから一部のデータが削除されているために本来の（正式な）電子レシートではない。つまり、レシート情報は、本来の（正式な）レシート２５のイメージデータではない電子レシートを含むことになる。
また、レシート印刷装置２によりレシート２５が印刷された場合、電子レシートが印刷されたことを示すデータが電子レシートに付加されるようにしてもよい。印刷されたことを示すデータが付加された電子レシートは、その詳細については後述するが（図７Ｂ参照）、電子レシートの形態が変化するために本来の（正式な）電子レシートではない。つまり、レシート情報は、本来の（正式な）レシート２５のイメージデータではない電子レシートを含むことになる。
【００４８】
スマートフォン３は、レシート印刷装置２から送信されたレシート情報を受信する（ステップＳ３１）。レシート情報が電子レシート（イメージデータ）を含む場合は（図６Ｂ参照）、スマートフォン３は、客の要求などに応じてタッチパネル３２に電子レシート（イメージデータ）を表示させることもできる。
【００４９】
また、図２に示すように、レシート情報を受信したスマートフォン３は、他のユーザー端末としてのスマートウォッチ５あるいは周辺装置としてのホームプリンター４、ＰＣ６、およびデータサーバー７との間で、例えば、次に示す処理のためにレシート情報あるいはレシート情報の一部を通信することができる。
【００５０】
スマートフォン３は、近距離無線通信ＷＬＣによってレシート情報の一部である電子レシートをホームプリンター４に送信して、印刷媒体４０に電子レシートを印刷させる。その結果、印刷されたレシートが作成される。
また、スマートフォン３は、ネットワークＮＷを介してレシート情報を転送あるいは複写送信してスマートウォッチ５にレシート情報を送信する。ここで、転送とは、送信元のスマートフォン３にレシート情報を残さずに（保持せずに）送信先のスマートウォッチ５にレシート情報を受け渡すことであり、複写送信とは、送信元のスマートフォン３にレシート情報を残して（保持して）送信先のスマートウォッチ５にレシート情報を送信することである。
また、スマートフォン３は、ネットワークＮＷを介してレシート情報の一部であるテキストデータをＰＣ６に送信する。ＰＣ６は、テキストデータを受信して、例えばインストールされている家計簿ソフトウェアなどによりテキストデータを利用した統計処理を行う。
また、スマートフォン３は、ネットワークＮＷを介してレシート情報を転送あるいは複写送信によりデータサーバー７にレシート情報を送る。データサーバー７は、送られたレシート情報を記憶して保存する。
【００５１】
上述の処理が成される時、レシート情報が転送された場合は、送信元にレシート情報が残らないため、証憑としての電子レシートの唯一性が担保される。一方、レシート情報が複写送信された場合は、送信元および送信先の両方にレシート情報が保持されることになるが、本願発明では、送信元および送信先のいずれかが保持するレシート情報に所定の処理（加工）を行うことによって、電子レシートの唯一性を担保し、証憑となるレシートの重複発行などの不正を防ぐ。
【００５２】
以下、図４のフローチャートに基づいて、上述の処理におけるレシート情報の流れとレシート情報に加えられる所定の処理（加工）とについて詳細に説明する。
スマートフォン３は、レシート印刷装置２から送信されたレシート情報を受信した後（図３のステップＳ３１）、適宜レシート情報に対して実行する処理を選択する（図４のステップＳ３２）。具体的には、スマートフォン３は、印刷処理３０１、転送処理３０２、複写送信処理３０３、データ送信処理３０４、サーバー保存処理３０５のいずれの処理を行うかを選択する。
【００５３】
スマートフォン３は、印刷処理３０１を選択すると、レシートの重複発行を防ぐために、レシート情報の処理履歴情報に印刷済み情報が存在するか確認して（ステップＳ４１）、電子レシートの印刷を行ってもよいか否かを判断する（ステップＳ４２）。
電子レシートが過去に印刷されている場合（印刷済み情報が存在する場合）は、レシートの重複発行を防ぐために電子レシートの印刷を行わずにステップＳ３２に戻る（ステップＳ４２のＮ）。この場合、スマートフォン３は、レシートが過去に発行されていることを客に知らせるために、タッチパネル３２にレシートが発行できない旨などの情報を表示したりアラーム音でその旨を報知したりしてもよい。
一方、電子レシートが過去に印刷されていない場合（印刷済み情報が存在しない場合）は、電子レシートの印刷可（レシートの発行可）と判断してステップＳ４３に進む（ステップＳ４２のＹ）。スマートフォン３は、電子レシートの印刷可と判断すると、電子レシートをホームプリンター４に送信する（ステップＳ４３）。スマートフォン３から電子レシートが送信されたホームプリンター４は、印刷媒体４０に電子レシートを印刷する（ステップＳ４０）。
【００５４】
続いて、スマートフォン３は、レシートの重複発行などの不正を防ぐために、電子レシートの一部のデータを削除（所定の処理の一例：ステップＳ４４）し、処理履歴情報に印刷済み情報を記録（付加）する（ステップＳ４５）。その後、スマートフォン３は、保持するレシート情報を、ステップＳ４４で加工された電子レシートとステップＳ４５で情報が付加された処理履歴情報とに更新してステップＳ３２に戻る（ステップＳ４６）。
【００５５】
図７Ａは、ステップＳ４６で更新されたレシート情報の具体例を示す図である。図６Ｂと図７Ａとの対比から明らかなように、図７Ａに示すレシート情報は、ステップＳ４４において、図６Ｂのレシート情報の電子レシートから削除部２０１および削除部２０２の部分が削除されたものである。より具体的には、図７Ａの電子レシートは、図６Ｂの電子レシートから、表題「＜領収書＞」と日時「20XX年YY月ZZ日  15:30」が削除され（削除部２０１）、「合計  \1,628」と「お預り  \2,000」と「おつり  \372」とが削除されている（削除部２０２）。
【００５６】
図７Ｂは、レシート情報の他の具体例を示す図である。図７Ｂの例は、ステップＳ４４において、所定の処理として、電子レシートの一部のデータが削除されるのに代えて、電子レシートに電子レシートが過去に印刷されたこと（つまり、レシートが過去に発行されたこと）を示すデータ２０３が付加されたものである。データ２０３は、「印刷済み」の文字が記されたイメージデータであり、電子レシートに重畳される。
【００５７】
また、図７Ａおよび図７Ｂに示すように、レシート情報の処理履歴情報の通し番号「２」には、ステップＳ４５において付加された印刷済み情報としての「20AABBCC1020 TAB2468→PR0002"PRINT"」が記録される。つまり、「20AABBCC1020 TAB2468→PR0002"PRINT"」は、レシート情報が、「20AA年BB月CC日  10時20分」に、固有番号「TAB2468」のスマートフォン３から固有番号「PR0002」のホームプリンター４に送信されて印刷された（"PRINT"）ことを示す。
【００５８】
次に、スマートフォン３が、転送処理３０２を選択した場合の処理の流れとレシート情報の形態について説明する。ここでは、レシート情報が、スマートフォン３からスマートウォッチ５に転送される場合を例に挙げて説明する。
スマートフォン３は、レシート情報をスマートウォッチ５に転送するのに備えて、レシート情報が転送されたことを示す情報を処理履歴情報に付加して（ステップＳ５１）、保持するレシート情報を、情報が付加された処理履歴情報に更新する（ステップＳ５２）。続いて、スマートフォン３は、更新されたレシート情報をスマートウォッチ５に送信する（ステップＳ５３）。スマートフォン３からレシート情報が送信されたスマートウォッチ５は、レシート情報を受信する（ステップＳ５０）。その後、スマートフォン３は、電子レシートを含むレシート情報の唯一性を担保するために、保持しているレシート情報を消去してステップＳ３２に戻る（ステップＳ５４）。
【００５９】
以上の転送処理３０２により、スマートフォン３からはレシート情報が消去され、スマートウォッチ５には、オリジナルのレシート情報が保持される。
なお、オリジナルのレシート情報とは、テキストデータと電子レシートとを含む生成データに対して加工が加えられていないレシート情報を指す。また、処理履歴情報に情報が付加されても、生成データに加工が加えられていないレシート情報は、オリジナルのレシート情報と称する。
【００６０】
図８は、ステップＳ５２で更新されたレシート情報の具体例を示す図である。図８に示すように、レシート情報の処理履歴情報の通し番号「２」には、ステップＳ５１において付加されたレシート情報が転送されたことを示す情報としての「20AABBCC1020 TAB2468⇒TAB1357"TRANS"」が記録される。つまり、「20AABBCC1020 TAB2468⇒TAB1357"TRANS"」は、レシート情報が、「20AA年BB月CC日  10時20分」に、固有番号「TAB2468」のスマートフォン３から固有番号「TAB1357」のスマートウォッチ５に転送された（"TRANS"）ことを示す。
【００６１】
次に、スマートフォン３が、複写送信処理３０３を選択した場合の処理の流れとレシート情報の形態について説明する。ここでは、レシート情報が、スマートフォン３からスマートウォッチ５に複写送信される場合を例に挙げて説明する。
スマートフォン３は、レシート情報をスマートウォッチ５に複写送信するのに備えて、レシート情報が複写送信されたことを示す情報を処理履歴情報に付加して（ステップＳ５５）、保持するレシート情報を、情報が付加された処理履歴情報に更新する（ステップＳ５６）。続いて、スマートフォン３は、更新されたレシート情報をスマートウォッチ５に送信する（ステップＳ５７）。スマートフォン３からレシート情報が送信されたスマートウォッチ５は、レシート情報を受信する（ステップＳ５０）。その後、スマートフォン３は、レシートの重複発行などの不正を防ぐために、電子レシートの一部のデータを削除する（複写済み処理の一例：ステップＳ５８）。続いて、保持するレシート情報を、ステップＳ５８で一部のデータが削除された電子レシートとステップＳ５５で情報が付加された処理履歴情報とに更新してステップＳ３２に戻る（ステップＳ５９）。
【００６２】
図９Ａは、ステップＳ５９で更新されたレシート情報の具体例を示す図である。図６Ｂと図９Ａとの対比から明らかなように、図９Ａに示すレシート情報は、ステップＳ５８において、複写済み処理として図６Ｂのレシート情報の電子レシートから削除部２０１および削除部２０２の部分が削除されたものである。削除された内容は、図７Ａの説明に準ずる。
【００６３】
図９Ｂは、レシート情報の他の具体例を示す図である。図９Ｂの例は、ステップＳ５８において、複写済み処理として、電子レシートの一部のデータが削除されるのに代えて、電子レシートが過去に複写送信が実施されたことを示すデータ２０４が付加されたものである。データ２０４は、「コピー」の文字が記されたイメージデータであり、電子レシートに重畳される。
【００６４】
また、図９Ａおよび図９Ｂに示すように、レシート情報の処理履歴情報の通し番号「２」には、ステップＳ５５において付加されたレシート情報が複写送信されたことを示す情報としての「20AABBCC1020 TAB2468⇒TAB1357"COPY"」が記録される。つまり、「20AABBCC1020 TAB2468⇒TAB1357"COPY"」は、レシート情報が、「20AA年BB月CC日  10時20分」に、固有番号「TAB2468」のスマートフォン３から固有番号「TAB1357」のスマートウォッチ５に複写送信された（"COPY"）ことを示す。
【００６５】
なお、フローチャートを用いた説明は省略するが、スマートフォン３にオリジナルのレシート情報が保持され、スマートウォッチ５に複写済み処理が行われたレシート情報が保持されるように、複写送信処理３０３を構成することもできる。具体的には、例えば、ステップＳ５６において、処理履歴情報が更新されたレシート情報に更新するとともに、更新されたレシート情報をスマートフォン３に保持し、ステップＳ５７において、スマートウォッチ５に送信するレシート情報に対して、ステップＳ５８およびステップＳ５９におけるレシート情報の一部のデータの削除と更新を行う。それにより、スマートフォン３にオリジナルのレシート情報が保持され、スマートウォッチ５に複写済み処理が行われたレシート情報が保持される。
【００６６】
次に、ＰＣ６が統計処理をするために、スマートフォン３がレシート情報の一部であるテキストデータをＰＣ６に送信するデータ送信処理３０４について説明する。
スマートフォン３は、保持するレシート情報からテキストデータを選択してネットワークＮＷを介してＰＣ６に送信する（ステップＳ６１）。ＰＣ６は、テキストデータを受信して家計簿の作成などの統計処理を実施する（ステップＳ６０）。
スマートフォン３は、データ送信処理３０４を行う場合、レシート情報の形態を変化させない。したがって、スマートフォン３は、データ送信処理３０４が実施される前後で、オリジナルのレシート情報を保持する。
【００６７】
次に、スマートフォン３が、サーバー保存処理３０５を選択した場合の処理の流れとレシート情報の形態について説明する。
スマートフォン３は、レシート情報をデータサーバー７に保存するのに備えて、レシート情報がサーバー保存されたことを示すサーバー保存情報を処理履歴情報に付加して（ステップＳ７１）、保持するレシート情報を、サーバー保存情報が付加された処理履歴情報に更新する（ステップＳ７２）。続いて、スマートフォン３は、更新されたレシート情報をデータサーバー７に送信する（ステップＳ７３）。スマートフォン３からレシート情報が送信されたデータサーバー７は、レシート情報を受信して保存する（ステップＳ７０）。その後、スマートフォン３は、電子レシートを含むレシート情報の唯一性を担保するために、保持しているレシート情報を消去してステップＳ３２に戻る（ステップＳ７４）。
以上のサーバー保存処理３０５により、スマートフォン３からはレシート情報が消去され、データサーバー７には、オリジナルのレシート情報が保存される。
【００６８】
図１０は、ステップＳ７２で更新されたレシート情報の具体例を示す図である。図１０に示すように、レシート情報の処理履歴情報の通し番号「２」には、ステップＳ７１において付加されたサーバー保存情報としての「20AABBCC1020 TAB2468⇒DB0001"TRANS"」が記録される。つまり、「20AABBCC1020 TAB2468⇒DB0001"TRANS"」は、レシート情報が、「20AA年BB月CC日  10時20分」に、固有番号「TAB2468」のスマートフォン３から固有番号「DB0001」のデータサーバー７に転送された（"TRANS"）ことを示す。
【００６９】
なお、本実施形態では、データサーバー７にオリジナルのレシート情報が保存され、スマートフォン３からレシート情報が消去される例を示した（転送される例）。しかしながら、データサーバー７にオリジナルのレシート情報が保存され、スマートフォン３に複写済み処理が施されたレシート情報が保持されるように、サーバー保存処理３０５を構成することもできる（複写送信される例）。つまり、スマートフォン３は、ステップＳ７３でレシート情報をデータサーバー７に送信した後、図９Ａおよび図９Ｂに示したレシート情報と同様に、電子レシートの一部のデータを削除する加工、あるいは電子レシートが過去に複写送信が実施されたことを示すデータ２０４を付加する加工を行って、加工された電子レシートを含むレシート情報を保持するようにしてもよい。
【００７０】
（作用効果）
上述のように、本実施形態によれば、レシート印刷装置２は、印刷物としてのレシート２５を印刷したり、レシート印刷情報に基づいて生成される生成データと処理履歴情報とを含むレシート情報を外部機器としてのスマートフォン３へ送信したりできる。さらに、処理履歴情報にはレシート情報が処理された経緯を示す情報が含まれるため、レシート情報を受信したスマートフォン３は、処理履歴情報に基づいて、レシートの重複発行を避ける処理を行うことができる。
【００７１】
また、印刷処理３０１により、客はいつでも容易に使用できる環境下に置かれたホームプリンター４によって、印刷媒体４０に印刷されたレシートを取得できる。さらに、電子レシートの一部のデータの削除や電子レシートが印刷済みであることを示すデータ２０３の付加により電子レシートの形態が変化するので、形態が変化した電子レシートから本来の（正式な）レシートは印刷され得ず、レシートの重複発行を防ぐことができる。また、処理履歴情報への印刷済み情報の付加によって、スマートフォン３は、処理履歴情報の内容を確認してレシートの印刷可否を判断できるため、レシートの重複発行を防ぐことができる。
【００７２】
また、転送処理３０２および複写送信処理３０３で示したように、レシート情報の転送や複写（複写送信）が可能になる。転送処理３０２では、送信元のレシート情報が消去されるためレシート情報の唯一性が担保され、複写送信処理３０３では、送信元あるいは送信先の一方には、複写済み処理が施されたレシート情報が保持される。したがって、オリジナルのレシート情報とは異なり、複写済み処理が行われたレシート情報では、仮にそのレシート情報に含まれる電子レシートが印刷されても、正式なレシートは印刷され得ずレシートの重複発行を防ぐことができる。
【００７３】
また、本発明を適用したレシート情報処理システムによれば、電子データとしてのレシート情報を通信可能に接続された機器間で自由に通信でき、かつレシート情報の唯一性を担保し、証憑としてのレシートの重複発行を防ぐことができる。つまり、データ送信処理３０４で示したように、レシート情報に含まれるテキストデータからＰＯＳデータを周辺装置に取り込むことができ、サーバー保存処理３０５で示したように、レシート情報を周辺装置で保存することもできる。
【００７４】
（変形例）
以上、本発明の実施形態を説明したが、本発明の主旨を逸脱しない範囲において、例えば下記のように変形が可能である。
図１１は、レシート情報の構成を示す図であり、図５で示すレシート情報が変形されたものである。具体的には、図５で示すレシート情報に、ヘッダーと処理履歴情報に印刷フラグおよび複写フラグとが追加されたものである。
【００７５】
ヘッダーは、例えば、レシート情報の総データ容量を示す。これにより、ヘッダーは、レシート情報が送信されるユーザー端末や周辺装置が受け付け可能か否かの指標となり得る。その結果、ユーザー端末や周辺装置が受け付け不可の総データ容量である場合は、レシート情報の送信を行う前に総データ容量の分割や警告報知などが行えるため、問題発生を未然に防ぐことができる。
【００７６】
印刷フラグは、電子レシートが印刷されたこと（レシートが発行されたこと）を示す印刷済み情報の一つの例である。例えば、印刷フラグは、「１」または「０」を表す１ｂｉｔのデータであり、電子レシートが印刷された場合に「１」にセットされる。このようにすれば、レシート情報を保持するユーザー端末や周辺装置が、ステップＳ４２（図４）において電子レシートの印刷可否を判断する時、処理履歴情報に通し番号「ｎ（ｎ＝１，２，・・・）」毎に記録された情報から印刷済み情報を検索することなく印刷フラグの値を確認することで電子レシートの印刷可否が判断できるため、処理の効率が向上する。
【００７７】
複写フラグは、レシート情報が複写送信されたことを示す情報の一つの例である。例えば、複写フラグは、「１」または「０」を表す１ｂｉｔのデータであり、レシート情報が複写送信された場合に「１」にセットされる。このようにすれば、レシート情報を保持するユーザー端末や周辺装置が、ステップＳ４２（図４）において電子レシートの印刷可否を判断する時、処理履歴情報に通し番号「ｎ（ｎ＝１，２，・・・）」毎に記録された情報からレシート情報が複写送信されたことを示す情報を検索することなく複写フラグの値を確認することで電子レシートの印刷可否が判断できるため、処理の効率が向上する。
【００７８】
以上、本発明の実施形態と変形例について説明したが、本発明は、前述の実施形態や変形例に限られるものではなく、その主旨を逸脱しない範囲において種々の構成で実現することができる。例えば、実施形態や変形例中の技術的特徴は、前述の課題の一部又は全部を解決するために、あるいは、前述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００７９】
１…ＰＯＳ会計装置、２…レシート印刷装置、３…スマートフォン、４…ホームプリンター、５…スマートウォッチ、６…パーソナルコンピューター（ＰＣ）、７…データサーバー、２０…制御部、２１…第１通信部、２２…第２通信部、２３…記憶部、２４…印刷部、２５…レシート、３１…入力部、３２…タッチパネル、４０…印刷媒体、５２…タッチパネル、１００…レシート情報処理システム、２０１，２０２…削除部、２０３，２０４…データ、３０１…印刷処理、３０２…転送処理、３０３…複写送信処理、３０４…データ送信処理、３０５…サーバー保存処理。
【図１】
2019035999.tif 000003
【図２】
2019035999.tif 000004
【図３】
2019035999.tif 000005
【図４】
2019035999.tif 000006
【図５】
2019035999.tif 000007
【図６Ａ】
2019035999.tif 000008
【図６Ｂ】
2019035999.tif 000009
【図７Ａ】
2019035999.tif 000010
【図７Ｂ】
2019035999.tif 000011
【図８】
2019035999.tif 000012
【図９Ａ】
2019035999.tif 000013
【図９Ｂ】
2019035999.tif 000014
【図１０】
2019035999.tif 000015
【図１１】
2019035999.tif 000016